(57)【特許請求の範囲】
【請求項１】
基地局と複数の移動局との間で無線通信を行うものであって、少なくとも前記基地局から前記移動局への無線送信がマルチキャリア方式で行なわれるとともに、前記基地局が移動局に対して送信する個別情報チャネルの伝送フォーマットを、制御チャネルを通じて通知する無線通信システムにおいて、
前記基地局は、
前記移動局を識別する識別情報と、個別情報チャネルの伝送フォーマットを示す形式情報とを対応づけて前記制御チャネルを通じて送信する第１送信手段と、
この第１送信手段が送信した前記制御チャネルを含む周波数帯域の個別情報チャネルを通じて、前記制御チャネルを通じて前記第１送信手段が送信した形式情報で示される伝送フォーマットで、前記識別情報で示される移動局に向けた伝送情報を送信する第２送信手段とを備え、
前記移動局は、
前記制御チャネルを通じて前記識別情報と前記形式情報を受信する第１受信手段と、
この第１受信手段が受信した識別情報が自己宛てものである場合に、この識別情報とともに前記第１受信手段が受信した形式情報で示される伝送フォーマットで、前記制御チャネルの周波数帯域の個別情報チャネルを受信する第２受信手段とを具備し、
前記第１送信手段は、第１の周波数帯域内の第１制御チャネルを通じて、予め設定された伝送フォーマットで前記移動局を識別する識別情報を送信するとともに、前記第１の周波数帯域よりも広帯域の第２の周波数帯域内で前記第１制御チャネルの送信周波数帯域に対応する周波数帯域の第２制御チャネルを通じて、個別情報チャネルの伝送フォーマットを示す形式情報を送信し、
前記第２送信手段は、前記第２制御チャネルを含む周波数帯域の個別情報チャネルを通じて、前記第２制御チャネルを通じて前記第１送信手段が送信した形式情報で示される伝送フォーマットで、前記識別情報で示される移動局に向けた伝送情報を送信し、
前記第１受信手段は、前記予め設定された伝送フォーマットで前記第１の周波数帯域の前記第１制御チャネルを通じて前記識別情報を受信し、前記識別情報に自己宛の識別情報が含まれる場合に、前記第１の周波数帯域よりも広い帯域の前記第２の周波数帯域内で前記第１制御チャネルを受信した周波数帯域に対応する帯域の第２制御チャネルを受信して、個別情報チャネルの伝送フォーマットを示す形式情報を取得し、
前記第２受信手段は、前記第１受信手段が受信した識別情報が自己宛てものである場合に、この識別情報とともに前記第１受信手段が受信した形式情報で示される伝送フォーマットで、前記第２制御チャネルの受信周波数帯域の個別情報チャネルを受信することを特徴とする無線通信システム。
【請求項２】
前記移動局は、さらに、
前記基地局から受信した信号に基づいて、伝送路品質を測定する測定手段と、
この測定手段に基づいて決定した伝送フォーマットを示す形式情報を送信する第３送信手段とを備え、
前記基地局は、さらに、
前記第３送信手段が送信した形式情報を受信する第３受信手段とを備え、
前記第１送信手段は、前記第３受信手段が受信した形式情報に基づく伝送フォーマットで、前記移動局を識別する識別情報と、個別情報チャネルの伝送フォーマットを示す形式情報とを対応づけて前記制御チャネルを通じて送信することを特徴とする請求項１に記載の無線通信システム。
【請求項３】
前記基地局は、さらに、前記第３受信手段が受信した形式情報に基づいて、この形式情報で示される伝送フォーマットの伝送効率以上の伝送フォーマットを、前記個別情報チャネルの伝送フォーマットとして決定する決定手段を備え、
前記第１送信手段は、前記第３受信手段が受信した形式情報に基づく伝送フォーマットで、前記移動局を識別する識別情報と、前記決定手段が決定した個別情報チャネルの伝送フォーマットを示す形式情報とを対応づけて前記制御チャネルを通じて送信し、
前記第１受信手段は、前記第３送信手段が送信した形式情報に基づく伝送フォーマットで、前記制御チャネルを通じて前記識別情報と前記形式情報を受信することを特徴とする請求項２に記載の無線通信システム。
【請求項４】
前記基地局は、さらに、前記第３受信手段が受信した形式情報に基づいて、この形式情報で示される伝送フォーマットの伝送効率以上の伝送フォーマットを、前記個別情報チャネルの伝送フォーマットとして決定する決定手段を備え、
前記第１送信手段は、前記制御チャネルを通じて、予め設定された伝送フォーマットで前記移動局を識別する識別情報を送信するとともに、前記制御チャネルを通じて、前記第３受信手段が受信した形式情報に基づく伝送フォーマットで、前記決定手段が決定した個別情報チャネルの伝送フォーマットを示す形式情報を送信し、
前記第１受信手段は、前記制御チャネルを通じて、予め設定された伝送フォーマットで前記移動局を識別する識別情報を受信するとともに、前記第３送信手段が送信した形式情報に基づく伝送フォーマットで、前記制御チャネルを通じて前記形式情報を受信することを特徴とする請求項２に記載の無線通信システム。
【請求項５】
複数の移動局に対してマルチキャリア方式による無線送信を行い、移動局に対して送信する個別情報チャネルの伝送フォーマットを、制御チャネルを通じて通知する無線通信システムの基地局装置において、
前記移動局を識別する識別情報と、個別情報チャネルの伝送フォーマットを示す形式情報とを対応づけて前記制御チャネルを通じて送信する第１送信手段と、
この第１送信手段が送信した前記制御チャネルを含む周波数帯域の個別情報チャネルを通じて、前記制御チャネルを通じて前記第１送信手段が送信した形式情報で示される伝送フォーマットで、前記識別情報で示される移動局に向けた伝送情報を送信する第２送信手段とを具備し、
前記第１送信手段は、第１の周波数帯域内の第１制御チャネルを通じて、予め設定された伝送フォーマットで前記移動局を識別する識別情報を送信するとともに、前記第１の周波数帯域よりも広帯域の第２の周波数帯域内で前記第１制御チャネルの送信周波数帯域に対応する周波数帯域の第２制御チャネルを通じて、個別情報チャネルの伝送フォーマットを示す形式情報を送信し、
前記第２送信手段は、前記第２制御チャネルを含む周波数帯域の個別情報チャネルを通じて、前記第２制御チャネルを通じて前記第１送信手段が送信した形式情報で示される伝送フォーマットで、前記識別情報で示される移動局に向けた伝送情報を送信する
ことを特徴とする基地局装置。
【請求項６】
基地局からマルチキャリア方式の無線信号を受信するものであって、前記基地局が送信する個別情報チャネルの伝送フォーマットを、前記個別情報チャネルの周波数帯域に含まれる制御チャネルを通じて通知する無線通信システムで用いられる移動無線端末装置であって、
前記制御チャネルを通じて前記識別情報と前記形式情報を受信する第１受信手段と、
この第１受信手段が受信した識別情報が自己宛てものである場合に、この識別情報とともに前記第１受信手段が受信した形式情報で示される伝送フォーマットで、前記制御チャネルの周波数帯域の個別情報チャネルを受信する第２受信手段とを具備し、
前記第１受信手段は、前記予め設定された伝送フォーマットで第１の周波数帯域の第１制御チャネルを通じて前記識別情報を受信し、前記識別情報に自己宛の識別情報が含まれる場合に、前記第１の周波数帯域よりも広い帯域の第２の周波数帯域内で前記第１制御チャネルを受信した周波数帯域に対応する帯域の第２制御チャネルを受信して、個別情報チャネルの伝送フォーマットを示す形式情報を取得し、
前記第２受信手段は、前記第１受信手段が受信した識別情報が自己宛てものである場合に、この識別情報とともに前記第１受信手段が受信した形式情報で示される伝送フォーマットで、前記第２制御チャネルの受信周波数帯域の個別情報チャネルを受信する
ことを特徴とする移動無線端末装置。
【発明の詳細な説明】
【技術分野】
【０００１】
この発明は、基地局から複数の移動局に対してマルチキャリア方式による無線送信を行うもので、周波数帯域割当制御と、変調および符号化の適応制御を行う無線通信システムに関する。
【背景技術】
【０００２】
従来の無線通信システムは、移動端末において無線伝送路品質を測定し、その測定値に基づいて、受信可能な伝送フォーマット（変調と符号化率の組合せ）を決定し、この情報をＣＱＩ（Channel Quality Indication）として基地局に伝送するようにしている（例えば、非特許文献１参照）。
【０００３】
これに対して基地局では、ＣＱＩに基づく伝送フォーマットを選択し、個別情報チャネルで伝送情報を送信する。個別情報チャネルの伝送フォーマットの種類は、制御情報として、伝送情報を送る直前に伝送する。移動端末では、制御チャネルにより、個別情報チャネルの伝送フォーマットを知り、それに従って伝送情報の受信を行う。
【０００４】
このような無線通信システムでは、移動端末において制御チャネルの受信に誤りが生じると、個別情報チャネルの正しい伝送フォーマットがわからないため受信が行えなくなる。このため、制御チャネルの誤り耐性は、個別情報チャネルの誤り耐性より、充分高い必要がある。
【０００５】
また周知のように、ＯＦＤＭ（Orthogonal Frequency Division Multiplexing）システムは、多数のサブキャリアを同時に使用して通信を行うマルチキャリアシステムの一形態である（例えば、非特許文献２参照）。そして、サブキャリアごとに別々の移動端末に割り当てることができる。各移動端末に対し、特定の周波数を割り当てる点では、従来のＦＤＭ（Frequency Division Multiplexing）システムに似ているが、ＯＦＤＭシステムなどのマルチキャリアシステムでは、各移動端末がマルチキャリア全サブキャリアを同時に受信して、マルチキャリア信号の受信処理を行い、受信対象のサブキャリアを取り出すようにしており、この点で従来のＦＤＭシステムと異なる。
【０００６】
非特許文献２では、サブキャリアをグループ化したものをチャンクと名付け、チャンク単位に端末に割り当てるものとしている。１ユーザが複数のチャンクを使用することも可能である。以下の説明においても、サブキャリアをグループ化したものをチャンクと称することにする。
【０００７】
しかしながら、現在、移動端末で測定した伝送路品質にもとづく周波数帯域割当制御と変調および符号化の適応制御を用いる無線通信システムにおいて、個別情報の伝送フォーマット情報と伝送帯域情報を移動端末に伝える制御チャネルの構成について、具体的な方法が明らかになっていない。
【０００８】
個別情報チャネルの受信に必要な設定は、制御チャネルより得るので、移動端末は制御チャネルが正常に受信できなければ、個別情報チャネルが受信できないことになる。言い換えれば、個別情報チャネルの受信品質が充分であっても、制御チャネルの受信品質が不足すれば、個別情報チャネルの受信が充分できないという問題があった。
【非特許文献１】3GPP TS 25.214 V5.11.0 (2005-06) 6A HS-DSCH-related procedures。
【非特許文献２】3GPP TSG RAN1#40bis R１-050249 Downlink Multiple Access Scheme for Evolved UTRA Multiplexing of Common Channel and Shared Data Channel。
【発明の開示】
【発明が解決しようとする課題】
【０００９】
個別情報チャネルの受信に必要な設定は、制御チャネルより得るので、移動端末は制御チャネルが正常に受信できなければ、個別情報チャネルが受信できないことになる。言い換えれば、個別情報チャネルの受信品質が充分であっても、制御チャネルの受信品質が不足すれば、個別情報チャネルの受信が充分できないという問題があった。  
この発明は上記の問題を解決すべくなされたもので、基地局から複数の移動局に対してマルチキャリア通信を行う場合に、個別情報チャネルの受信品質より、充分高品質な制御チャネルの伝送を可能とする無線通信システム、およびこのシステムで用いられる基地局装置と移動無線端末装置を提供することを目的とする。
【課題を解決するための手段】
【００１０】
上記の目的を達成するために、この発明は、基地局と複数の移動局との間で無線通信を行うものであって、少なくとも前記基地局から前記移動局への無線送信がマルチキャリア方式で行なわれるとともに、前記基地局が移動局に対して送信する個別情報チャネルの伝送フォーマットを、制御チャネルを通じて通知する無線通信システムにおいて、基地局は、移動局を識別する識別情報と、個別情報チャネルの伝送フォーマットを示す形式情報とを対応づけて制御チャネルを通じて送信する第１送信手段と、この第１送信手段が送信した制御チャネルを含む周波数帯域の個別情報チャネルを通じて、制御チャネルを通じて第１送信手段が送信した形式情報で示される伝送フォーマットで、識別情報で示される移動局に向けた伝送情報を送信する第２送信手段とを備え、移動局は、制御チャネルを通じて識別情報と形式情報を受信する第１受信手段と、この第１受信手段が受信した識別情報が自己宛てものである場合に、この識別情報とともに第１受信手段が受信した形式情報で示される伝送フォーマットで、制御チャネルの周波数帯域の個別情報チャネルを受信する第２受信手段とを具備して構成するようにした。
【発明の効果】
【００１１】
この発明によれば、基地局から複数の移動局に対してマルチキャリア通信を行う場合に、個別情報チャネルの受信品質より、充分高品質な制御チャネルの伝送を可能とする無線通信システム、およびこのシステムで用いられる基地局装置と移動無線端末装置を提供できる。
【発明を実施するための最良の形態】
【００１２】
以下、図面を参照して、この発明の一実施形態について説明する。  
この発明では、周波数帯域割当制御と、変調および符号化の適応制御を行う無線通信システムとして、以下に説明するような無線通信システムを想定している。マルチキャリア方式のシステムとして、例えばＯＦＤＭシステムような複数の帯域を同時受信するシステムにおいて、移動端末が、各帯域（チャンク）について無線伝送路品質を測定し、これをＣＱＩとして基地局に伝送する。図１に示す例では、ＯＦＤＭ（Orthogonal Frequency Division Multiplexing）信号が（ｎ×ｍ）サブキャリアから構成され、ｍサブキャリアからなるｎチャンクにグループ化している様子を示す図である。１ユーザが複数のチャンクを使用することも可能である。
【００１３】
これに対して基地局は、各移動端末から送信されたＣＱＩ情報と基地局自身が持つその他の情報から、伝送情報を載せる個別情報チャネルについて、伝送フォーマットと、使用する帯域（チャンク）を選択する。このようにして選択した個別情報チャネルの伝送フォーマットの情報と使用する帯域（チャンク）の情報は、制御チャネルを通じて、移動端末に個別情報チャネルを送る前に伝送される。
【００１４】
すなわち図２に示すように、各チャンク毎のＣＱＩを移動端末が基地局に向けて送信し、基地局から移動端末に向けた制御チャネルで、個別情報のチャネルの伝送フォーマットの情報と使用する帯域（チャンク）の情報を送信する。移動端末は、すべての制御チャネルを受信し、そのうち自己に予め割り当てられているＩＤが記入されている制御チャネルに載せられた情報に基づいて、個別情報チャネルで使用する帯域を認識、さらに、使用する伝送フォーマットを認識して、受信機能を設定し、基地局から、送られた個別情報チャネルの受信を行う。
【００１５】
セルラシステムに適用した場合について説明する。図３は、セルラシステムの概念図である。一つの基地局に複数の移動端末が同時に接続する。図４に、基地局から移動端末に情報を伝送するときの信号の流れを示す。移動端末では、チャンク毎に伝送路品質を測定し、ＣＱＩとして送信する。ＣＱＩの形式はさまざまな方法が考えられるが、ここでは、伝送路品質から求められたチャンク毎の受信可能な伝送フォーマット（変調と符号化率の組合せ）としている。
【００１６】
図５に示すように、各伝送フォーマット（変調と符号化率の組合せ）にＭＣＳ番号が割り当てられており、ＣＱＩでは、各チャンク毎にこのＭＣＳ番号が送信される。変調多値数は、ＱＰＳＫは２、１６ＱＡＭは４、６４ＱＡＭは６であり、符号化率は（情報ビット数／符号化ビット数）である。伝送路品質がよいチャンクに対し、変調多値数が多く、符号化率が高く、伝送レートが高くなるＣＱＩを送信することにより、同じ帯域で高い伝送レートで多い情報を伝送できる可能性があることが基地局に伝えられる。
【００１７】
これに対して基地局は、各移動端末から送信されたＣＱＩと基地局が持つその他の情報（例えば、送信予定の情報の量、可能な送信電力、過去の帯域割当など）から、各移動端末に対する情報伝送に使用するチャンクと、使用する伝送フォーマット（ＭＣＳ：Modulation and Coding set）を決定する。
【００１８】
この際、変調多値数が多く、符号化率が高く、伝送レートが高くなるＣＱＩが指定された移動端末とチャンクの組合せを選択・決定することにより、多くの情報を伝送することができる。なお、移動端末がＣＱＩにおいて高い伝送レートを示したチャンクと伝送フォーマットの組合せであっても、基地局が高い伝送レートを送信するとは限らない。
【００１９】
そして、基地局から移動端末毎に決定したチャンクと伝送フォーマット情報を、制御チャネルを通じて通知する。続いて、基地局は、移動端末に制御チャネルで示したチャンクと伝送フォーマットを使用して個別情報チャネルを送信する。
【００２０】
これに対して移動端末は、すべての制御チャネルを受信し、そのうち自己に予め割り当てられているＩＤが記入された制御チャネルから、使用するチャンクと伝送フォーマットを認識し、これにしたがって個別情報チャネルを受信する。
【００２１】
図６に、制御チャネルと個別情報チャネルの構成を示す。制御チャネルでは、各帯域（チャンク）が、どの移動端末の個別情報チャネルに割り当てられているかを示す伝送帯域情報と、どの伝送フォーマットを使用しているかを示す伝送フォーマット情報が、示されている。
【００２２】
3GPP TSG RAN1#43 R１-051331では、図６に示した個別情報チャネルを送る直前に伝送される制御チャネルの伝送フォーマットを、上記ＣＱＩに応じて、変える旨が示されている。しかしながら、単純に伝送フォーマットが異なる領域があることが示されているだけで、具体的な制御チャネルの構成は示されていない。
【００２３】
以下、この発明の第１の実施形態に係わる無線通信システムについて説明する。図７は、第１の実施形態に係わる無線通信システムの移動端末の構成を示すものである。また図８は、第１の実施形態に係わる無線通信システムの基地局の構成を示すものである。これらの図で示す無線通信システムは、基地局から移動端末に送信する下り回線において、変調方式としてＯＦＤＭ（直交波周波数分割多重）を使用したセルラ（携帯電話）システムが想定される。
【００２４】
ＯＦＤＭ変調方式では、高速なデータ信号を低速で狭帯域なデータ信号に変換し、周波数軸上で、複数のサブキャリアを使って並列に伝送する。この無線通信システムでは、図９に示すように、ＯＦＤＭは、サブキャリア数６００、サブキャリア間隔１５ｋＨｚで構成されるものとして説明する。個別情報チャネルに対する帯域割当は、２５サブキャリアづつ、２４の帯域（チャンク）に分けて割り当てる。移動端末は、ＯＦＤＭ信号を受信する。すなわち、２４チャンクすべてを同時に受信する。
【００２５】
まず、図７を参照して、移動端末の構成について説明する。移動端末は、制御部１００と、音声（情報）コーディング部１０１と、チャネルコーディング部１０２と、変調部１０３と、送信ＲＦ部１０４と、デュプレクサ１０５と、アンテナ１０６と、受信ＲＦ部１０７と、ＦＦＴ（時間−周波数領域変換）部１０８と、チャンク選択部１０９と、復調部１１０と、チャネルデコーディング部１１１と、音声（情報）デコーディング部１１２とを備える。
【００２６】
音声信号は、音声（情報）コーディング部１０１によってエンコードされ、音声情報となる。チャネルコーディング部１０２は、上記音声情報や制御部１００から与えられるＣＱＩ（Channel Quality Indication）をチャネルコード化する。これによって得られた情報は、変調部１０３にて搬送波の変調に用いられる。
【００２７】
送信ＲＦ部１０４は、変調部１０３から出力された信号を、制御部１００から指示される帯域の無線周波数までアップコンバートし、デュプレクサ１０５およびアンテナ１０６を通じて空間に放射し、基地局に向けて送信する。
【００２８】
なお、移動端末から基地局に向けた上り通信は、ＦＤＭＡ（Frequency Division Multiple Access）、ＴＤＭＡ（Time Division Multiple Access）、ＣＤＭＡ（Code Division Multiple Access）などシングルキャリア方式による通信でもよく、または基地局から移動端末に向けた下り通信と同様に、ＯＦＤＭ等のマルチキャリア方式による通信であってもよい。
【００２９】
受信ＲＦ部１０７は、アンテナ１０６およびデュプレクサ１０５を通じて入力される無線周波の受信信号を、所定の周波数の信号にダウンコンバートし、ＦＦＴ（時間−周波数領域変換）部１０８に出力する。ＦＦＴ（時間−周波数領域変換）部１０８は、入力された信号を高速フーリエ変換することで、時間領域の信号から周波数領域の信号に変換する。
【００３０】
チャンク選択部１０９は、制御部１００によって指示される周波数帯域のチャンクの信号を選択し、これを復調部１１０に出力する。復調部１１０は、チャンク選択部１０９より出力される信号を復調する。このようにして復調された信号は、チャネルデコーディング部１１１によって、チャネルデコードされる。このチャネルデコードによって得られた制御チャネルの情報は、制御部１００に出力される。
【００３１】
また、チャネルデコーディング部１１１は、伝送路品質を測定し、この測定結果を制御部１００に通知する。そして、チャネルデコーディング部１１１は、制御部１００から指示される伝送フォーマットに基づいて、個別情報チャネルの信号をチャネルデコードする。音声（情報）デコーディング部１１２は、チャネルデコーディング部１１１によってチャネルデコードされた信号を音声デコードして、音声信号を得る。
【００３２】
制御部１００は、当該移動端末の各部を統括して制御するものであって、基地局との間でＯＦＤＭ変調方式による通信を実現するように各部を制御する。このために制御部１００は、例えばチャンク選択部１０９が選択するチャンクを指示する制御や、チャネルデコーディング部１１１に各チャンクの伝送路品質を測定させる制御、この伝送路品質に基づいてＣＱＩを生成する制御、チャネルデコーディング部１１１がデコードした制御チャネルの情報に基づいて、個別情報チャネルをチャネルデコーディング部１１１にデコードさせる制御などの機能を備える。
【００３３】
次に、図８を参照して、基地局の構成について説明する。基地局は、制御部２００と、音声（情報）コーディング部２１１〜２１ｎと、チャネルコーディング部２２１〜２２ｎと、変調部２３１〜２３ｎと、チャンク割当部２４１と、ＩＦＦＴ（周波数−時間領域変換）部２４２と、送信ＲＦ部２４３と、デュプレクサ２４４と、アンテナ２４５と、受信ＲＦ部２４６と、周波数チャネル多重分離部２４７と、復調部２５１〜２５ｍと、チャネルデコーディング部２６１〜２６ｍと、音声（情報）デコーディング部２７１〜２７ｍとを備える。
【００３４】
音声（情報）コーディング部２１１〜２１ｎは、それぞれ音声信号をエンコードして音声情報を得る。これらの音声情報や、制御部２００から与えられる伝送フォーマットおよび移動端末を識別する端末ＩＤの各情報は、それぞれ対応するチャネルコーディング部２２１〜２２ｎによって、チャネルコード化されたのち、それぞれ対応する変調部２３１〜２３ｎによって、搬送波の変調に用いられる。
【００３５】
チャンク割当部２４１は、変調部２３１〜２３ｎの各出力に対して、制御部２００の指示に従ってチャンクを割り当て、上記各出力をＩＦＦＴ（周波数−時間領域変換）部２４２に出力する。なお、このチャンク割り当てでは、上述した伝送フォーマットの情報とチャンク割り当てが対応するように、制御部２００によって制御される。
【００３６】
ＩＦＦＴ（周波数−時間領域変換）部２４２は、チャンク割当部２４１によってチャンクが割り当てられた信号を高速逆フーリエ変換することで、周波数領域の信号から時間領域の信号に変換する。ＩＦＦＴ（周波数−時間領域変換）部２４２から出力される信号は、送信ＲＦ部２４３によって無線周波数の信号にアップコンバートされ、デュプレクサ２４４およびアンテナ２４５を通じて空間に放射し、移動端末に向けて送信される。
【００３７】
受信ＲＦ部２４６は、アンテナ２４５およびデュプレクサ２４４を通じて入力される無線周波の受信信号を、所定の周波数の信号にダウンコンバートし、周波数チャネル多重分離部２４７に出力する。周波数チャネル多重分離部２４７は、制御部２００の指示に従って、ダウンコンバートされた信号を、多重化された状態から周波数毎にチャネル分離し、それぞれ対応する復調部２５１〜２５ｍに出力する。
【００３８】
復調部２５１〜２５ｍは、それぞれ入力された信号を復調する。このようにして復調された信号は、それぞれ対応するチャネルデコーディング部２６１〜２６ｍによって、チャネルデコードされ、さらに音声（情報）デコーディング部２７１〜２７ｍによって、それぞれ音声デコードされて、音声信号が得られる。なお、チャネルデコーディング部２６１〜２６ｍのチャネルデコードによって得られる情報のうち、移動端末から送られたＣＱＩについては、制御部２００に出力される。
【００３９】
制御部２００は、当該基地局の各部を統括して制御するものであって、複数の移動端末との間でＯＦＤＭ変調方式による通信を実現するように各部を制御する。このために制御部２００は、例えば周波数チャネル多重分離部２４７を制御して、多重化されたチャネルを分離して各チャネルを受信するように制御する制御や、チャネルデコーディング部２６１〜２６ｍを制御して、各チャネルより移動端末が送信したＣＱＩを取得し、この情報などに基づいて、移動端末宛ての個別情報チャネルの伝送フォーマットを決定する制御、この伝送フォーマットを、情報伝送に用いる個別情報チャネルと同じチャンクの制御チャネルを通じて、移動端末に送信する制御などの機能を備える。
【００４０】
次に、上記構成の無線通信システムの動作について説明する。以下の説明では特に、基地局と移動端末との間でなされる通信のうち、基地局から移動端末に個別チャネルを通じて情報が伝送されるまでの手順について説明する。なお、以下の説明では、説明を簡明にするために、基地局と移動端末が一対一の場合を例に挙げるが、実際には、１つの基地局が複数の移動端末に同時に対応することができる。
【００４１】
まず、移動端末において、全てのチャンクについて伝送路品質を測定するために、制御部１００は、チャンク選択部１０９を制御して、これによりチャンク選択部１０９は、全てのチャンクの信号を出力する。復調部１１０は、全てのチャンクの信号を復調し、チャネルデコーディング部１１１に出力する。
【００４２】
チャネルデコーディング部１１１は、全てのチャンクの復調結果に基づいて、各チャンクの伝送路品質を測定し、この測定結果を制御部１００に出力する。これに対して制御部１００は、上記測定結果に基づいて、各チャンクについてＣＱＩを作成する。このＣＱＩは、例えば図５に示すようなＭＣＳ（Modulation and Coding set）番号テーブルに基づいて行われ、ＭＣＳ変調の種別と符号化率を示すものである。なお、このＭＣＳ番号テーブルは、基地局にも記憶されている。
【００４３】
次に移動端末では、上記生成した各チャンクのＣＱＩを基地局に送信するために、制御部１００は生成した各チャンクのＣＱＩをチャネルコーディング部１０２に出力する。これに対して、チャネルコーディング部１０２は、制御部１００から与えられた各ＣＱＩおよび当該移動端末の端末ＩＤ（ここでは「０１」を例に挙げる）をチャネルコード化する。
【００４４】
これによって得られた情報は、変調部１０３にて搬送波の変調に用いられ、送信ＲＦ部１０４にて、制御部１００から指示される帯域の無線周波数までアップコンバートされたのち、デュプレクサ１０５およびアンテナ１０６を通じて、基地局に向けて送信される。
【００４５】
これに対して基地局では、移動端末から送信された無線信号が、アンテナ２４５およびデュプレクサ２４４を通じて受信ＲＦ２４６で受信され、周波数チャネル多重分離部２４７によりチャネル毎に分離されて、復調部２５１〜２５ｍに出力される。  
ここで例えば、上記移動端末の信号が分離されて復調部２５１に出力されたとすると、上記信号は復調部２５１によって復調され、復調部２５１に対応するチャネルデコーディング部２６１によってチャネルデコードされ、移動端末から送信されたＣＱＩおよび端末ＩＤ「０１」が得られる。このようにして得られたＣＱＩと端末ＩＤ「０１」は、制御部２００に出力される。
【００４６】
制御部２００は、上記ＣＱＩと、当該基地局が持つその他の情報（例えば、送信予定の情報の量、可能な送信電力、過去の帯域割当など）から、上記移動端末（端末ＩＤ「０１」）に対する個別情報チャネルの送信で使用するチャンク（以下、指定チャンクと称する）と、伝送フォーマットＭＣＳを決定する。
【００４７】
なお、個別情報チャネルの伝送フォーマットＭＣＳは、図５に示したＭＣＳ番号テーブルに基づいて行われる。以下の説明では、上記指定チャンクの識別番号を「２」とし、伝送フォーマットＭＣＳの識別番号を「６」として説明する。また、基地局が採用する伝送フォーマットは、移動端末（端末ＩＤ「０１」）が送信したＣＱＩで示される伝送フォーマットとは限らない。
【００４８】
このようにして個別情報チャネルの送信に使用する指定チャンク「２」と、伝送フォーマットＭＣＳ「６」を決定すると、制御部２００は、伝送フォーマットＭＣＳ「６」を上記端末ＩＤ「０１」とともにチャネルコーディング部２２１〜２２ｎのいずれかに出力する。ここでは、チャネルコーディング部２２１に出力したものとする。
【００４９】
これに対して、チャネルコーディング部２２１は、入力された伝送フォーマットＭＣＳ「６」および端末ＩＤ「０１」の各情報をチャネルコーディングして、これらの情報を含む制御チャネルの信号を生成する。この信号は、チャネルコーディング部２２１に対応する変調部２３１によって変調に用いられ、チャンク割当部２４１に出力される。
【００５０】
なお、上記制御チャネルには、個別情報チャネルを送信するのに用いるチャンクの情報は含まれていない。制御チャネルの信号の周波数帯域は、その制御チャネルにより使用が指定される個別情報チャネルの周波数帯域内にあり、すなわち、制御チャネルと個別情報チャネルとは同じチャンク「２」を用いるからである。制御チャネルには、個別情報チャネルより高い受信品質が必要とされるので、ＢＰＳＫ、Ｒ＝１／３のような、伝送レートの低い伝送フォーマットが使用されるものとして、基地局と移動局との間で予め申し合わせておく。
【００５１】
また制御部２００は、上記伝送フォーマットＭＣＳ「６」とともに決定した指定チャンク「２」を通じて、変調部２３１からの信号（制御チャネルの信号）が送信されるように、チャンク割当部２４１に割り当て指示を与える。これによりチャンク割当部２４１は、変調部２３１の出力に対して、指定チャンク「２」を割り当て、ＩＦＦＴ（周波数−時間領域変換）部２４２に出力する。すなわち、移動端末（端末ＩＤ「０１」）宛ての制御チャネルが指定チャンク「２」を通じて送信されるように、チャンク割り当てが行われる。
【００５２】
ＩＦＦＴ（周波数−時間領域変換）部２４２は、チャンク割当部２４１によってチャンクが割り当てられた信号を高速逆フーリエ変換する。これによって得られた信号は、送信ＲＦ部２４３によって無線周波数の信号にアップコンバートされ、デュプレクサ２４４およびアンテナ２４５を通じて空間に放射し、移動端末に向けて送信される。
【００５３】
さらに、基地局では、上述したような制御チャネルを通じた情報送信に続いて、個別情報チャネルを通じて音声信号を送信するべく、以下に説明するような処理を実行する。  
まず、音声（情報）コーディング部２１１〜２１ｎは、それぞれ音声信号をエンコードして音声情報を得る。ここで、移動端末（端末ＩＤ「０１」）宛ての音声信号が、音声（情報）コーディング部２１ｎでエンコードされたとすると、制御部２００は、音声（情報）コーディング部２１ｎに対応するチャネルコーディング部２２ｎに対して、制御チャネルを通じて移動端末（端末ＩＤ「０１」）に通知した上記伝送フォーマットＭＣＳ「６」と、端末ＩＤ「０１」を出力する。
【００５４】
これにより、チャネルコーディング部２２ｎは、音声（情報）コーディング部２１ｎからの音声情報に端末ＩＤ「０１」を付加し、上記伝送フォーマットＭＣＳ「６」にしたがってチャネルコーディングを行う。この結果は、変調部２３ｎによって搬送波の変調に用いられる。
【００５５】
そして制御部２００は、上記伝送フォーマットＭＣＳ「６」とともに決定した指定チャンク「２」を通じて、変調部２３ｎからの信号が送信されるように、チャンク割当部２４１に割り当て指示を与える。これによりチャンク割当部２４１は、変調部２３ｎの出力に対して、指定チャンク「２」を割り当て、ＩＦＦＴ（周波数−時間領域変換）部２４２に出力する。これにより、図１０に示すように、移動端末（端末ＩＤ「０１」）宛ての個別情報チャネルが指定チャンク「２」を通じて送信されるように、チャンク割り当てが行われる。
【００５６】
一方、移動端末では、制御部１００が全てのチャンクより制御チャネルを受信するように、チャンク選択部１０９を制御する。これにより復調部１１０は、全てのチャンクを復調し、チャネルデコーディング部１１１は、基地局との間で予め取り決められている変調方式ＢＰＳＫ、符号化率Ｒ＝１／３で、全てのチャンクをデコードする。このデコードによって得られた制御チャネルの情報は、制御部１００に通知される。
【００５７】
制御部１００は、上記制御チャネルの情報に含まれる端末ＩＤを検査し、当該移動端末の端末ＩＤ「０１」が含まれるチャンクが「２」であることを検出する。これにより制御部１００は、指定チャンクを「２」とし、この指定チャンク「２」を通じて送られた制御チャネルの情報に含まれる伝送フォーマットＭＣＳ「６」を検出する。
【００５８】
このようにして伝送フォーマットＭＣＳ「６」を検出すると、制御部１００は、個別情報チャネルを受信するタイミングで、チャンク選択部１０９が指定チャンク「２」を選択するように制御して、これにより指定チャンク「２」の個別情報チャネルの信号を復調部１１０に復調させる。
【００５９】
そしてまた制御部１００は、図５に示したＭＣＳ番号テーブルを参照し、伝送フォーマットＭＣＳとして上記検出した「６」であることから、変調方式として「６４ＱＡＭ（Quadrature Amplitude Modulation）」、符号化率として「２／３」をチャネルデコーディング部１１１に通知する。
【００６０】
これにより、チャネルデコーディング部１１１は、復調部１１０によって復調された個別情報チャネルの信号を、変調方式６４ＱＡＭ、符号化率２／３として、チャネルデコードを行う。このようにしてデコードされた情報は、音声（情報）デコーディング部１１２により音声デコードされ、当該移動端末（端末ＩＤ「０１」）宛ての音声信号が得られる。
【００６１】
以上のように、上記構成の無線通信システムでは、基地局から移動端末に宛てて送信する個別情報チャネルの伝送フォーマットを制御チャネルを通じて基地局から移動端末に通知する際に、個別情報チャネルで用いるチャンクと同じチャンクの制御チャネルで送信するようにしている。
【００６２】
したがって、上記構成の無線通信システムによれば、個別情報チャネルで用いるチャンクは、移動端末に宛てた制御チャネルのチャンクで示されるので、制御チャネルでは、個別情報チャネルで用いるチャンクを識別する情報を伝達することが不要になり、その分だけ伝送効率を高めることができる。またこのように伝送効率を高められるので、制御チャネルを低レート化することができ、個別情報チャネルよりも制御チャネルの伝送品質を高めることができる。
【００６３】
また、制御チャネルと個別情報チャネルとが同じチャンクを用いることになるため、両チャネルの周波数帯域が類似することになり、両チャネルの伝搬特性がほぼ同等となる。これにより、制御チャネルは受信できたものの、個別情報チャネルの受信ができないという状況の発生を抑制することができる。
【００６４】
次に、この発明の第２の実施形態に係わる無線通信システムについて説明する。この実施形態に係わる無線通信システムは、上述した第１の実施形態の無線通信システムの新たな機能を加えたものである。第１の実施形態の無線通信システムでは、図１０に示したように、制御チャネルは、変調方式をＢＰＳＫ、符号化率をＲ＝１／３と固定していたが、第２の実施形態の無線通信システムでは、制御チャネルの伝送フォーマットを可変するようにしたものである。
【００６５】
なお、第２の実施形態に係わる無線通信システムの移動端末および基地局は、図７および図８に示した第１の実施形態の移動端末および基地局と、見かけ上同じであることより、図７および図８を参照して説明することにする。
【００６６】
また第１の実施形態の無線通信システムと同様に、第２の実施形態の無線通信システムは、基地局から移動端末に送信する下り回線において、変調方式としてＯＦＤＭ（直交波周波数分割多重）などのマルチキャリア方式を使用したセルラ（携帯電話）システムを想定している。
【００６７】
ＯＦＤＭ変調方式では、高速なデータ信号を低速で狭帯域なデータ信号に変換し、周波数軸上で、複数のサブキャリアを使って並列に伝送する。この無線通信システムでは、図９に示すように、ＯＦＤＭは、サブキャリア数６００、サブキャリア間隔１５ｋＨｚで構成されるものとして説明する。個別情報チャネルに対する帯域割当は、２５サブキャリアづつ、２４の帯域（チャンク）に分けて割り当てる。移動端末は、ＯＦＤＭ信号を受信する。すなわち、２４チャンクすべてを同時に受信する。
【００６８】
まず、図７を参照して、移動端末の構成について説明する。移動端末は、制御部１００と、音声（情報）コーディング部１０１と、チャネルコーディング部１０２と、変調部１０３と、送信ＲＦ部１０４と、デュプレクサ１０５と、アンテナ１０６と、受信ＲＦ部１０７と、ＦＦＴ（時間−周波数領域変換）部１０８と、チャンク選択部１０９と、復調部１１０と、チャネルデコーディング部１１１と、音声（情報）デコーディング部１１２とを備える。
【００６９】
音声信号は、音声（情報）コーディング部１０１によってエンコードされ、音声情報となる。チャネルコーディング部１０２は、上記音声情報や制御部１００から与えられるＣＱＩ（Channel Quality Indication）をチャネルコード化する。これによって得られた情報は、変調部１０３にて搬送波の変調に用いられる。
【００７０】
送信ＲＦ部１０４は、変調部１０３から出力された信号を、制御部１００から指示される帯域の無線周波数までアップコンバートし、デュプレクサ１０５およびアンテナ１０６を通じて空間に放射し、基地局に向けて送信する。
【００７１】
受信ＲＦ部１０７は、アンテナ１０６およびデュプレクサ１０５を通じて入力される無線周波の受信信号を、所定の周波数の信号にダウンコンバートし、ＦＦＴ（時間−周波数領域変換）部１０８に出力する。ＦＦＴ（時間−周波数領域変換）部１０８は、入力された信号を高速フーリエ変換することで、時間領域の信号から周波数領域の信号に変換する。
【００７２】
チャンク選択部１０９は、制御部１００によって指示される周波数帯域のチャンクの信号を選択し、これを復調部１１０に出力する。復調部１１０は、チャンク選択部１０９より出力される信号を復調する。このようにして復調された信号は、チャネルデコーディング部１１１によって、チャネルデコードされる。このチャネルデコードによって得られた制御チャネルの情報は、制御部１００に出力される。
【００７３】
また、チャネルデコーディング部１１１は、伝送路品質を測定し、この測定結果を制御部１００に通知する。そして、チャネルデコーディング部１１１は、制御部１００から指示される伝送フォーマットに基づいて、個別情報チャネルの信号をチャネルデコードする。音声（情報）デコーディング部１１２は、チャネルデコーディング部１１１によってチャネルデコードされた信号を音声デコードして、音声信号を得る。
【００７４】
制御部１００は、当該移動端末の各部を統括して制御するものであって、基地局との間でＯＦＤＭ変調方式による通信を実現するように各部を制御する。このために制御部１００は、例えばチャンク選択部１０９が選択するチャンクを指示する制御や、チャネルデコーディング部１１１に各チャンクの伝送路品質を測定させる制御、この伝送路品質に基づいてＣＱＩを生成する制御、上記ＣＱＩに基づいて制御チャネルをチャネルデコーディング部１１１にデコードさせる制御、チャネルデコーディング部１１１がデコードした制御チャネルの情報に基づいて、個別情報チャネルをチャネルデコーディング部１１１にデコードさせる制御などの機能を備える。
【００７５】
次に、図８を参照して、基地局の構成について説明する。基地局は、制御部２００と、音声（情報）コーディング部２１１〜２１ｎと、チャネルコーディング部２２１〜２２ｎと、変調部２３１〜２３ｎと、チャンク割当部２４１と、ＩＦＦＴ（周波数−時間領域変換）部２４２と、送信ＲＦ部２４３と、デュプレクサ２４４と、アンテナ２４５と、受信ＲＦ部２４６と、周波数チャネル多重分離部２４７と、復調部２５１〜２５ｍと、チャネルデコーディング部２６１〜２６ｍと、音声（情報）デコーディング部２７１〜２７ｍとを備える。
【００７６】
音声（情報）コーディング部２１１〜２１ｎは、それぞれ音声信号をエンコードして音声情報を得る。これらの音声情報や、制御部２００から与えられる伝送フォーマットおよび移動端末を識別する端末ＩＤの各情報は、それぞれ対応するチャネルコーディング部２２１〜２２ｎによって、チャネルコード化されたのち、それぞれ対応する変調部２３１〜２３ｎによって、搬送波の変調に用いられる。
【００７７】
チャンク割当部２４１は、変調部２３１〜２３ｎの各出力に対して、制御部２００の指示に従ってチャンクを割り当て、上記各出力をＩＦＦＴ（周波数−時間領域変換）部２４２に出力する。なお、このチャンク割り当てでは、上述した伝送フォーマットの情報とチャンク割り当てが対応するように、制御部２００によって制御される。
【００７８】
ＩＦＦＴ（周波数−時間領域変換）部２４２は、チャンク割当部２４１によってチャンクが割り当てられた信号を高速逆フーリエ変換することで、周波数領域の信号から時間領域の信号に変換する。ＩＦＦＴ（周波数−時間領域変換）部２４２から出力される信号は、送信ＲＦ部２４３によって無線周波数の信号にアップコンバートされ、デュプレクサ２４４およびアンテナ２４５を通じて空間に放射し、移動端末に向けて送信される。
【００７９】
受信ＲＦ部２４６は、アンテナ２４５およびデュプレクサ２４４を通じて入力される無線周波の受信信号を、所定の周波数の信号にダウンコンバートし、周波数チャネル多重分離部２４７に出力する。周波数チャネル多重分離部２４７は、制御部２００の指示に従って、ダウンコンバートされた信号を、多重化された状態から周波数毎にチャネル分離し、それぞれ対応する復調部２５１〜２５ｍに出力する。
【００８０】
復調部２５１〜２５ｍは、それぞれ入力された信号を復調する。このようにして復調された信号は、それぞれ対応するチャネルデコーディング部２６１〜２６ｍによって、チャネルデコードされ、さらに音声（情報）デコーディング部２７１〜２７ｍによって、それぞれ音声デコードされて、音声信号が得られる。なお、チャネルデコーディング部２６１〜２６ｍのチャネルデコードによって得られる情報のうち、移動端末から送られたＣＱＩについては、制御部２００に出力される。
【００８１】
制御部２００は、当該基地局の各部を統括して制御するものであって、複数の移動端末との間でＯＦＤＭ変調方式による通信を実現するように各部を制御する。このために制御部２００は、例えば周波数チャネル多重分離部２４７を制御して、多重化されたチャネルを分離して各チャネルを受信するように制御する制御や、チャネルデコーディング部２６１〜２６ｍを制御して、各チャネルより移動端末が送信したＣＱＩを取得し、この情報などに基づいて、移動端末宛ての制御チャネルおよび個別情報チャネルの伝送フォーマットをそれぞれ決定する制御、この伝送フォーマットを、情報伝送に用いる個別情報チャネルと同じチャンクの制御チャネルを通じて、移動端末に送信する制御などの機能を備える。
【００８２】
次に、上記構成の無線通信システムの動作について説明する。以下の説明では特に、基地局と移動端末との間でなされる通信のうち、基地局から移動端末に個別チャネルを通じて情報が伝送されるまでの手順について説明する。なお、以下の説明では、説明を簡明にするために、基地局と移動端末が一対一の場合を例に挙げるが、実際には、１つの基地局が複数の移動端末に同時に対応することができる。
【００８３】
まず、移動端末において、全てのチャンクについて伝送路品質を測定するために、制御部１００は、チャンク選択部１０９を制御して、これによりチャンク選択部１０９は、全てのチャンクの信号を出力する。復調部１１０は、全てのチャンクの信号を復調し、チャネルデコーディング部１１１に出力する。
【００８４】
チャネルデコーディング部１１１は、全てのチャンクの復調結果に基づいて、各チャンクの伝送路品質を測定し、この測定結果を制御部１００に出力する。これに対して制御部１００は、上記測定結果に基づいて、各チャンクについてＣＱＩを作成する。このＣＱＩは、例えば図１１に示すようなＭＣＳ番号テーブルに基づいて行われ、個別情報チャネルおよび制御チャネルの各ＭＣＳ変調の種別と符号化率を示すものである。
【００８５】
なお、このＭＣＳ番号テーブルは、基地局にも記憶されている。また、このテーブルでは、同じ受信Ｓ／Ｎ（信号対雑音比）において、制御チャネルの方が個別情報チャネルよりも相対的に高品質となるように設定されている。ここでは、例として、チャネルデコーディング部１１１が、チャンク「２」のＣＱＩについて、伝送フォーマットＭＣＳの識別番号として「５」を選択したものとして説明する。
【００８６】
次に移動端末では、上記生成した各チャンクのＣＱＩを基地局に送信するために、制御部１００は生成した各チャンクのＣＱＩをチャネルコーディング部１０２に出力する。これに対して、チャネルコーディング部１０２は、制御部１００から与えられた各ＣＱＩおよび当該移動端末の端末ＩＤ（ここでは「０１」を例に挙げる）をチャネルコード化する。
【００８７】
これによって得られた情報は、変調部１０３にて搬送波の変調に用いられ、送信ＲＦ部１０４にて、制御部１００から指示される帯域の無線周波数までアップコンバートされたのち、デュプレクサ１０５およびアンテナ１０６を通じて、基地局に向けて送信される。
【００８８】
これに対して基地局では、移動端末から送信された無線信号が、アンテナ２４５およびデュプレクサ２４４を通じて受信ＲＦ２４６で受信され、周波数チャネル多重分離部２４７によりチャネル毎に分離されて、復調部２５１〜２５ｍに出力される。  
ここで例えば、上記移動端末の信号が分離されて復調部２５１に出力されたとすると、上記信号は復調部２５１によって復調され、復調部２５１に対応するチャネルデコーディング部２６１によってチャネルデコードされ、移動端末から送信されたＣＱＩおよび端末ＩＤ「０１」が得られる。このようにして得られたＣＱＩと端末ＩＤ「０１」は、制御部２００に出力される。
【００８９】
制御部２００は、上記ＣＱＩと、当該基地局が持つその他の情報（例えば、送信予定の情報の量、可能な送信電力、過去の帯域割当など）から、上記移動端末（端末ＩＤ「０１」）に対する個別情報チャネルの送信で使用するチャンク（以下、指定チャンクと称する）と、上記各チャネルの伝送フォーマットＭＣＳを決定する。なお、各チャネルの伝送フォーマットＭＣＳは、図１１に示したＭＣＳ番号テーブルに基づいて行われる。
【００９０】
まず、制御部２００は、上記指定チャンクおよび個別情報チャネルの伝送フォーマットを決定する。以下の説明では、上記指定チャンクの識別番号として「２」を選択したものとする。チャンク「２」については、前述したように移動端末が伝送フォーマットＭＣＳの識別番号として「５」を指定している。伝送フォーマットＭＣＳの識別番号「５」は、制御チャネルについて変調方式ＱＰＳＫ、符号化率Ｒ＝１／２を指定するものである。
【００９１】
このため制御部２００は、図１１に示したＭＣＳ番号テーブルのうち、上記決定した個別情報チャネルの伝送フォーマットで、かつ制御チャネルの変調方式がＱＰＳＫ、符号化率がＲ＝１／２であるＭＣＳ番号の組み合わせを選択する。ここでは例として、伝送フォーマットＭＣＳの識別番号を「６」として説明する。このように、基地局が採用する伝送フォーマットは、移動端末（端末ＩＤ「０１」）が送信したＣＱＩで示した伝送フォーマット（ＭＣＳの識別番号「５」）とは限らないが、制御チャネルについては同じ内容となっている。
【００９２】
このようにして個別情報チャネルの送信に使用する指定チャンク「２」と、伝送フォーマットＭＣＳ「６」を決定すると、制御部２００は、伝送フォーマットＭＣＳ「６」を上記端末ＩＤ「０１」とともにチャネルコーディング部２２１〜２２ｎのいずれかに出力する。ここでは、チャネルコーディング部２２１に出力したものとする。
【００９３】
これに対して、チャネルコーディング部２２１は、入力された伝送フォーマットＭＣＳ「６」および端末ＩＤ「０１」の各情報をチャネルコーディングして、これらの情報を含む制御チャネルの信号を生成する。この信号は、チャネルコーディング部２２１に対応する変調部２３１によって変調に用いられ、チャンク割当部２４１に出力される。
【００９４】
なお、上記制御チャネルには、個別情報チャネルを送信するのに用いるチャンクの情報は含まれていない。制御チャネルの信号の周波数帯域は、その制御チャネルにより使用が指定される個別情報チャネルの周波数帯域内にあり、すなわち、制御チャネルと個別情報チャネルとは同じチャンク「２」を用いるからである。また制御チャネルの送信には、上記決定した伝送フォーマットＭＣＳ「６」に基づいて、変調方式がＱＰＳＫ、符号化率がＲ＝１／２が採用される。
【００９５】
また制御部２００は、上記伝送フォーマットＭＣＳ「６」とともに決定した指定チャンク「２」を通じて、変調部２３１からの信号（制御チャネルの信号）が送信されるように、チャンク割当部２４１に割り当て指示を与える。これによりチャンク割当部２４１は、変調部２３１の出力に対して、指定チャンク「２」を割り当て、ＩＦＦＴ（周波数−時間領域変換）部２４２に出力する。すなわち、移動端末（端末ＩＤ「０１」）宛ての制御チャネルが指定チャンク「２」を通じて送信されるように、チャンク割り当てが行われる。
【００９６】
ＩＦＦＴ（周波数−時間領域変換）部２４２は、チャンク割当部２４１によってチャンクが割り当てられた信号を高速逆フーリエ変換する。これによって得られた信号は、送信ＲＦ部２４３によって無線周波数の信号にアップコンバートされ、デュプレクサ２４４およびアンテナ２４５を通じて空間に放射し、移動端末に向けて送信される。
【００９７】
さらに、基地局では、上述したような制御チャネルを通じた情報送信に続いて、個別情報チャネルを通じて音声信号を送信するべく、以下に説明するような処理を実行する。  
まず、音声（情報）コーディング部２１１〜２１ｎは、それぞれ音声信号をエンコードして音声情報を得る。ここで、移動端末（端末ＩＤ「０１」）宛ての音声信号が、音声（情報）コーディング部２１ｎでエンコードされたとすると、制御部２００は、音声（情報）コーディング部２１ｎに対応するチャネルコーディング部２２ｎに対して、制御チャネルを通じて移動端末（端末ＩＤ「０１」）に通知した上記伝送フォーマットＭＣＳ「６」と、端末ＩＤ「０１」を出力する。
【００９８】
これにより、チャネルコーディング部２２ｎは、音声（情報）コーディング部２１ｎからの音声情報に端末ＩＤ「０１」を付加し、上記伝送フォーマットＭＣＳ「６」にしたがってチャネルコーディングを行う。この結果は、変調部２３ｎによって搬送波の変調に用いられる。
【００９９】
そして制御部２００は、上記伝送フォーマットＭＣＳ「６」とともに決定した指定チャンク「２」を通じて、変調部２３ｎからの信号が送信されるように、チャンク割当部２４１に割り当て指示を与える。これによりチャンク割当部２４１は、変調部２３ｎの出力に対して、指定チャンク「２」を割り当て、ＩＦＦＴ（周波数−時間領域変換）部２４２に出力する。これにより、図１２に示すように、移動端末（端末ＩＤ「０１」）宛ての個別情報チャネルが指定チャンク「２」を通じて送信されるように、チャンク割り当てが行われる。
【０１００】
一方、移動端末では、制御部１００が全てのチャンクより制御チャネルを受信するように、チャンク選択部１０９を制御する。これにより復調部１１０は、全てのチャンクを復調し、チャネルデコーディング部１１１は、全てのチャンクをデコードする。このデコードによって得られた制御チャネルの情報は、制御部１００に通知される。
【０１０１】
なお、制御部１００は、基地局に対して、チャンク「２」については伝送フォーマットＭＣＳ「５」を指定していることより、チャンク「２」については、変調方式がＱＰＳＫ、符号化率がＲ＝１／２で基地局から送信されるものとして、受信を行うようにチャネルデコーディング部１１１を制御する。
【０１０２】
制御部１００は、上記制御チャネルの情報に含まれる端末ＩＤを検査し、当該移動端末の端末ＩＤ「０１」が含まれるチャンクが「２」であることを検出する。これにより制御部１００は、指定チャンクを「２」とし、この指定チャンク「２」を通じて送られた制御チャネルの情報に含まれる伝送フォーマットＭＣＳ「６」を検出する。
【０１０３】
このようにして伝送フォーマットＭＣＳ「６」を検出すると、制御部１００は、個別情報チャネルを受信するタイミングで、チャンク選択部１０９が指定チャンク「２」を選択するように制御して、これにより指定チャンク「２」の個別情報チャネルの信号を復調部１１０に復調させる。
【０１０４】
そしてまた制御部１００は、図５に示したＭＣＳ番号テーブルを参照し、伝送フォーマットＭＣＳとして上記検出した「６」であることから、変調方式として「６４ＱＡＭ（Quadrature Amplitude Modulation）」、符号化率として「２／３」をチャネルデコーディング部１１１に通知する。
【０１０５】
これにより、チャネルデコーディング部１１１は、復調部１１０によって復調された個別情報チャネルの信号を、変調方式６４ＱＡＭ、符号化率２／３として、チャネルデコードを行う。このようにしてデコードされた情報は、音声（情報）デコーディング部１１２により音声デコードされ、当該移動端末（端末ＩＤ「０１」）宛ての音声信号が得られる。
【０１０６】
以上のように、上記構成の無線通信システムでは、第１の実施形態で説明した無線通信システムと同様に、基地局から移動端末に宛てて送信する個別情報チャネルの伝送フォーマットを制御チャネルを通じて基地局から移動端末に通知する際に、個別情報チャネルで用いるチャンクと同じチャンクの制御チャネルで送信するようにしている。
【０１０７】
したがって、上記構成の無線通信システムによれば、個別情報チャネルで用いるチャンクは、移動端末に宛てた制御チャネルのチャンクで示されるので、制御チャネルでは、個別情報チャネルで用いるチャンクを識別する情報を伝達することが不要になり、その分だけ伝送効率を高めることができる。またこのように伝送効率を高められるので、制御チャネルを低レート化することができ、個別情報チャネルよりも制御チャネルの伝送品質を高めることができる。
【０１０８】
また、制御チャネルと個別情報チャネルとが同じチャンクを用いることになるため、両チャネルの周波数帯域が類似することになり、両チャネルの伝搬特性がほぼ同等となる。これにより、制御チャネルは受信できたものの、個別情報チャネルの受信ができないという状況の発生を抑制することができる。
【０１０９】
さらに上記構成の無線通信システムでは、移動端末から通知されるＣＱＩに基づいて、制御チャネルの伝送フォーマットを可変するようにしている。このため伝送路推定の結果に応じて、制御チャネルの品質を制御することができるので、伝送効率を落とすことで伝送品質を高めることができ、逆に伝送効率を上げることで、例えば空いたシンボルを他の用途に転用することができる。
【０１１０】
変調が同じ内容の制御チャネルを送信するために必要とされるシンボル数は、ＱＰＳＫの場合を「１」とするとＢＰＳＫの場合は「２」となる。例えば、制御チャネルシンボル数を「２５」とした場合、ＢＰＳＫを仮定すると符号化後の情報が２５ビット送れることになる。この変調をＱＰＳＫとすれば、変調多値数は２であり、１シンボルあたり２ビットの符号化後情報が送れることになり。所要シンボル数は１３シンボル（１２．５シンボルを切り上げ）となる。余り１２シンボルは他の用途に使用できる。
【０１１１】
図１３は、余り１２シンボルのうち、５シンボルを基準信号に、５シンボルを個別情報チャネルに、２シンボルを未使用にした場合の例を示している。また図１４は、余り１２シンボルのうち、５シンボルを基準信号に、７シンボルを個別情報チャネルに用いた場合の例を示している。基準信号は、時間方向に分散させることが有効である。
【０１１２】
なお、システム用チャネルでは、セルに存在する全移動端末に向けた共通情報や、待ち受け中の移動端末を呼び出すページング情報などが送信される。また基準信号は、パイロット信号であって、伝搬路特性を測定するために用いられ、他のシンボルを復調する基準やＣＱＩ情報を生成するための基準などになる。
【０１１３】
また、余りシンボルを他の用途に使用する際、元の制御チャネルの位置のまま使用せずに、他の元からある他の信号の位置を空いた場所に移動して、そこで空いたシンボル位置を基準信号等の用途に使用しても同様な効果が得られる。
【０１１４】
なお、この発明は上記実施形態そのままに限定されるものではなく、実施段階ではその要旨を逸脱しない範囲で構成要素を変形して具体化できる。また上記実施形態に開示されている複数の構成要素を適宜組み合わせることによって種々の発明を形成できる。また例えば、実施形態に示される全構成要素からいくつかの構成要素を削除した構成も考えられる。さらに、異なる実施形態に記載した構成要素を適宜組み合わせてもよい。
【０１１５】
その一例として例えば、制御チャネルで伝送される情報には、どの移動端末宛ての情報かを示すための端末ＩＤと、個別情報チャネルの伝送フォーマットを示すＭＣＳ番号が含まれる。上記実施形態では、これらの情報を同じ伝送フォーマットで送信するようにしたが、互いに異なる伝送フォーマットで送信するようにしてもよい。
【０１１６】
例えば、図１５に示すように、上記端末ＩＤについては第１の実施形態で説明したように、予め移動端末と基地局との間で定められた伝送フォーマットで送信し、上記ＭＣＳ番号については、第２の実施形態で説明したように、移動端末から通知されるＣＱＩに基づく伝送フォーマットで送信するようにしてもよい。
【０１１７】
さらには、上記端末ＩＤおよび上記ＭＣＳ番号を伝送するためのフォーマットを、第２の実施形態で説明したように、移動端末から通知されるＣＱＩに基づいて、それぞれ決定して送信するようにしてもよい。
【０１１８】
このような構成によれば、移動端末は、全制御チャネルＩＤを予め定められた伝送フォーマットに基づいて受信し、自己宛ての端末ＩＤが検出できなければ、受信動作を停止でき、低消費電力化が可能となる。
【０１１９】
また、このように制御チャネル内で伝送フォーマットを異ならせるようにしても、制御チャネルの周波数帯域は、その制御チャネルにより使用が指定される個別情報チャネルの周波数帯域の内部にある特徴、および、制御チャネルの伝送フォーマットは、移動端末から基地局に事前に送信されたＣＱＩの該当帯域の個別情報チャネルの伝送フォーマット（ＭＣＳ）に基づいて決定される特徴は変わらないので、その効果を同様に得ることができる。
【０１２０】
さらには、基地局が第１制御チャネルを予め定めた狭帯域で送信し、移動端末が上記狭帯域を受信して、個別情報チャネルの受信の必要性を判定するようにする。そして、自己宛ての第１制御チャネルを移動端末が受信した場合には、上記第１制御チャネルに基づく帯域の第２制御チャネルを受信して、個別情報チャネルの伝送フォーマットを取得する。これによれば、移動端末は、狭帯域の第１制御チャネルの受信で個別情報チャネルの受信の必要性を判定できるので、低消費電力化が実現できる。また第２制御チャネルの受信帯域で、個別情報チャネルのチャンクが示されるので、同様の効果を奏する。
【０１２１】
具体的には、例えば図１６に示すように、基地局が制御チャネルを送信することで実現できる。この場合、制御チャネルに含まれる端末ＩＤに関しては、伝搬特性がほぼ同等であり、制御チャネルの受信ができたが、個別情報チャネルの受信ができないという状況が発生する可能性が減少するという利点は失われるかもしれない。しかしその他の利点はそのままである。また、制御チャネルＭＣＳに関しては、利点はそのままである。
【０１２２】
なお、図１６に示す例では、第２の実施形態で説明したように、第２制御チャネルの伝送フォーマットを、移動端末から通知されるＣＱＩに基づいて可変するようにしているが、第１の実施形態で説明したように、予め設定した伝送フォーマットで送信するようにしてもよい。  
その他、この発明の要旨を逸脱しない範囲で種々の変形を施しても同様に実施可能であることはいうまでもない。
【図面の簡単な説明】
【０１２３】
【図１】この発明に係わる無線通信システムのＯＦＤＭ信号におけるサブキャリアとチャンクの関係を説明するための図。
【図２】この発明に係わる無線通信システムの基地局と移動端末との間で為される通信を説明するための図。
【図３】セルラシステムの構成を示す図。
【図４】この発明に係わる無線通信システムの基地局と移動端末との間で為される通信を説明するための図。
【図５】この発明に係わる無線通信システムの基地局と移動端末との間の通信で用いられるＭＣＳ番号を説明するための図。
【図６】この発明に係わる無線通信システムの基地局から移動端末への送信に用いられる制御チャネルと個別情報チャネルを説明するための図。
【図７】この発明に係わる無線通信システムの移動端末の構成を説明するための回路ブロック図。
【図８】この発明に係わる無線通信システムの基地局の構成を説明するための回路ブロック図。
【図９】この発明に係わる無線通信システムの基地局と移動端末との間の通信で用いられるＯＦＤＭ信号を説明するための図。
【図１０】この発明に係わる無線通信システムの基地局から移動端末へ送信される制御チャネルと個別情報チャネルを説明するための図。
【図１１】この発明に係わる無線通信システムの基地局と移動端末との間の通信で用いられるＭＣＳ番号を説明するための図。
【図１２】この発明に係わる無線通信システムの基地局から移動端末へ送信される制御チャネルと個別情報チャネルを説明するための図。
【図１３】この発明に係わる無線通信システムの基地局から移動端末へ送信で用いられるチャンクの構成を説明するための図。
【図１４】この発明に係わる無線通信システムの基地局から移動端末へ送信で用いられるチャンクの構成を説明するための図。
【図１５】この発明に係わる無線通信システムの基地局から移動端末へ送信される制御チャネルと個別情報チャネルを説明するための図。
【図１６】この発明に係わる無線通信システムの基地局から移動端末へ送信される制御チャネルと個別情報チャネルを説明するための図。
【符号の説明】
【０１２４】
１００…制御部、１０１…音声（情報）コーディング部、１０２…チャネルコーディング部、１０３…変調部、１０４…送信ＲＦ部、１０５…デュプレクサ、１０６…アンテナ、１０７…受信ＲＦ部、１０８…ＦＦＴ部、１０９…チャンク選択部、１１０…復調部、１１１…チャネルデコーディング部、１１２…音声（情報）デコーディング部、２００…制御部、２１１〜２１ｎ…音声（情報）コーディング部、２２１〜２２ｎ…チャネルコーディング部、２３１〜２３ｎ…変調部、２４１…チャンク割当部、２４２…ＩＦＦＴ部、２４３…送信ＲＦ部、２４４…デュプレクサ、２４５…アンテナ、２４６…受信ＲＦ部、２４７…周波数チャネル多重分離部、２５１〜２５ｍ…復調部、２６１〜２６ｍ…チャネルデコーディング部、２７１〜２７ｍ…デコーディング部。
【図１】
0004714588.tif 000002
【図２】
0004714588.tif 000003
【図３】
0004714588.tif 000004
【図４】
0004714588.tif 000005
【図５】
0004714588.tif 000006
【図６】
0004714588.tif 000007
【図７】
0004714588.tif 000008
【図８】
0004714588.tif 000009
【図９】
0004714588.tif 000010
【図１０】
0004714588.tif 000011
【図１１】
0004714588.tif 000012
【図１２】
0004714588.tif 000013
【図１３】
0004714588.tif 000014
【図１４】
0004714588.tif 000015
【図１５】
0004714588.tif 000016
【図１６】
0004714588.tif 000017